Podtech/llm-jp-corpus-v4-ja_patent huggingface dataset:
【手続補正書】
【提出日】平成26年6月11日(2014.6.11)
【手続補正１】
【補正対象書類名】明細書
【補正対象項目名】００６９
【補正方法】変更
【補正の内容】
【００６９】
又、本実施形態によれば、縦補強部材５１を内板３１Ｂ、３１Ｃに対して非連結状態としたから、内板３１Ｂ、３１Ｃの影響が外板３０Ｂ、３０Ｃに及ぶことがない。すなわち、前述したように、断熱キャビネット２は、製造時において、外側幅寸法Ｈｓ（図６参照）を順守するように組み立てられるものである。そして、左側壁用断熱パネル２６及び右側壁用断熱パネル２７には、厚み寸法にばらつきが発生することもある。この場合、内板３１Ｂ（あるいは３１Ｃ）が縦補強部材５１と連結されていると、この内板３１Ｂに逃げがなく、外板３０Ｂ（あるいは３０Ｃ）が変形して、前述の外側幅寸法Ｈｓが順守できなくなってしまう。しかるに、本実施形態によれば、上述したように縦補強部材５１を内板３１Ｂ、３１Ｃに対して非連結状態としたから、内板３１Ｂ、３１Ｃの影響が外板３０Ｂ、３０Ｃに及ぶことがなく、上述の外側幅寸法Ｈｓを順守できる。そして、このように外側幅寸法Ｈｓを順守できるから、この外側幅寸法Ｈｓを基準として左右長さ寸法が設定される前仕切部材１０、１１が、当初の設計通りに外板３０Ｂ、３０Ｃに取り付けられることになる。
又、本実施形態によれば、回転扉１５を支持する上下で一対のヒンジ部材１７ａ、７ｂのうちの一方であるヒンジ部材１７ｂを左側壁用断熱パネル２６に設け、他方であるヒンジ部材１７ａを天井壁用断熱パネル２８に設けたから、特に回転扉１５の重量負荷及び開閉時の操作負荷が大きいヒンジ部材１７ｂを縦補強部材５１により支持でき、このヒンジ部材１７ｂが下がってしまったり下方へ傾いたりすることを防止できてヒンジ軸１７ｂｊが傾いてしまうことを防止できると共に、このヒンジ部材１７ｂ部分における左側壁用断熱パネル２６の変形することを防止できる。なお、回転扉１６を上下に支持する一対のヒンジ部材１８ａ、１８ｂについても同様の効果を奏する。
【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
シートを平面視した側の第１面側に突出し内部空間を有する第１突出部と、前記第１面側とは反対側の第２面側に突出し内部空間を有する第２突出部とを有し、前記第１突出部及び第２突出部は、該シートの平面視交差する異なる方向のそれぞれに交互に壁部を介し連続してシート平面方向に広がって配され、
前記第１突出部の内部空間は第２面側に開放され、前記第２突出部の内部空間は第１面側に開放されており、
前記第１突出部の頂部から第２突出部の頂部へと繋がる前記壁部には、前記第２突出部の内部空間へ向けて括れた部分を有し、
前記壁部は、前記シートの平面方向の実質的にいずれの箇所においても、前記第１突出部と第２突出部とを結ぶ方向に沿った繊維配向性を有するシート。
【請求項２】
シート厚み方向への加圧によって、前記括れ部分のシート材が折り重なって積層厚み部となる請求項１記載のシート。
【請求項３】
０．５ｇｆ／ｃｍ２の圧力でシート厚み方向に面状に加圧したときのシート厚み（Ｔ０．５）と、５０ｇｆ／ｃｍ２の圧力でシート厚み方向に面状に加圧したときのシート厚み（Ｔ５０）との比（Ｔ０．５／Ｔ５０）が２．５〜１０．０である請求項１又は２記載のシート。
【請求項４】
前記括れ部分が、製造時における機械方向と直交するＣＤ方向に存在する請求項１〜３のいずれか１項に記載のシート。
【請求項５】
前記第２突出部の内部空間はその平面視において長軸及び短軸を有する環形状であり、前記短軸方向に前記括れ部分が配されている請求項１〜４のいずれか１項に記載のシート。
【請求項６】
前記シートが不織布からなる請求項１〜５のいずれか１項に記載のシート。
【請求項７】
前記括れた部分が筋状に形成されている請求項１〜６のいずれか１項に記載のシート。
【請求項８】
請求項１〜７に記載のシートを、前記第２面側を非肌当接面側に向けて、表面材として適用した吸収性物品。
【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
通電することにより発熱する材料からなる発熱抵抗層と、該発熱抵抗層に通電するために用いられる一対の電極層と、で構成され、熱エネルギーを発生するエネルギー発生素子と、
前記エネルギー発生素子に対応する位置に少なくとも設けられ、液体と電気化学反応を起こして溶出する材料からなる保護層と、
を備える液体吐出ヘッドであって、
少なくとも前記一対の電極層と前記発熱抵抗層との境界部に対応する前記保護層のテーパー部を被覆する位置に、被覆層を有することを特徴とする液体吐出ヘッド。
【請求項２】
前記保護層の下に、前記一対の電極層と前記発熱抵抗層とを被覆する、絶縁性材料からなる絶縁層を有する請求項１に記載の液体吐出ヘッド。
【請求項３】
前記絶縁層と前記保護層との間に、密着層が設けられている請求項２に記載の液体吐出ヘッド。
【請求項４】
前記密着層は、タンタル、クロム、チタン、またはニオブを含む金属材料で形成される請求項３に記載の液体吐出ヘッド。
【請求項５】
前記被覆層は、タンタルまたはニオブを含む金属材料で形成されている請求項１乃至請求項４のいずれか１項に記載の液体吐出ヘッド。
【請求項６】
前記保護層は、白金族の金属材料で形成されている請求項１乃至請求項５のいずれか１項に記載の液体吐出ヘッド。
【請求項７】
前記金属材料は、イリジウムまたはルテニウムである請求項６に記載の液体吐出ヘッド。
【請求項８】
前記被覆層の端部は、前記テーパー部から前記保護層の膜厚と同じ距離だけ少なくとも内側となるように設けられている請求項１乃至請求項７のいずれか１項に記載の液体吐出ヘッド。
【請求項９】
前記被覆層は、前記保護層の端部も被覆している請求項１乃至請求項８のいずれか１項に記載の液体吐出ヘッド。
【請求項１０】
前記被覆層は、前記エネルギー発生素子の上に前記エネルギー発生素子と重なる位置に設けられている請求項１乃至請求項９のいずれか１項に記載の液体吐出ヘッド。
【請求項１１】
請求項１乃至請求項１０のいずれか１項に記載の液体吐出ヘッドを備える液体吐出装置であって、
前記保護層が前記保護層と接触する前記液体に対して陽極となるように電圧を印加する印加手段を有することを特徴とする液体吐出装置。
【手続補正２】
【補正対象書類名】明細書
【補正対象項目名】００１０
【補正方法】変更
【補正の内容】
【００１０】
本発明は、通電することにより発熱する材料からなる発熱抵抗層と、該発熱抵抗層に通電するために用いられる一対の電極層と、で構成され、熱エネルギーを発生するエネルギー発生素子と、前記エネルギー発生素子に対応する位置に少なくとも設けられ、液体と電気化学反応を起こして溶出する材料からなる保護層と、を備える液体吐出ヘッドであって、少なくとも前記一対の電極層と前記発熱抵抗層との境界部に対応する前記保護層のテーパー部を被覆する位置に、被覆層を有することを特徴としている。
【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
シリコン単結晶の評価方法であって、
シリコン単結晶に熱処理を施したときに生成される酸素ドナーを起因とするキャリアの発生量Δ［Ｃ］を、
前記シリコン単結晶中の酸素濃度［Ｏｉ］、前記熱処理の温度Ｔ、前記熱処理の時間ｔ、温度Ｔでの酸素拡散係数Ｄ（Ｔ）とから、
Δ［Ｃ］＝α［Ｏｉ］５×ｅｘｐ（−β・Ｄ（Ｔ）・［Ｏｉ］・ｔ）  （ここでα、βは定数）
の関係式を用いて算出して評価することを特徴とするシリコン単結晶の評価方法。
【請求項２】
前記評価するシリコン単結晶中の酸素濃度を、９×１０１７ａｔｏｍｓ／ｃｍ３（ＡＳＴＭ’７９）以下とすることを特徴とする請求項１に記載のシリコン単結晶の評価方法。
【請求項３】
前記関係式を用いて酸素ドナー起因のキャリアの発生量を算出し、該算出したキャリアの発生量を用いて、前記熱処理後のシリコン単結晶の抵抗率を算出して評価することを特徴とする請求項１または請求項２に記載のシリコン単結晶の評価方法。
【請求項４】
請求項３に記載のシリコン単結晶の評価方法を用いて前記熱処理後のシリコン単結晶の抵抗率を算出し、該算出した抵抗率に基づいて、シリコン単結晶を育成するときの酸素濃度および抵抗率の狙い値を決定し、該決定した狙い値に基づいてシリコン単結晶を育成することを特徴とするシリコン単結晶の製造方法。
【手続補正書】
【提出日】平成26年2月27日(2014.2.27)
【手続補正１】
【補正対象書類名】明細書
【補正対象項目名】０００８
【補正方法】変更
【補正の内容】
【０００８】
この発明のエレベータのかご内監視システムは、昇降路を昇降自在に設けられるかご、かご呼び及び乗場呼びに応じてかごの昇降を制御するエレベータ制御部を有するエレベータのかご内のフレーム画像を取得し、フレーム画像の領域を、画像処理の対象から外す所定のマスク領域と、残りの画像処理対象領域とにわけ、画像処理対象領域の変化に基づいて、かご内の情報を取得するエレベータのかご内監視装置であって、かご内を撮影した画像を処理する画像処理部と、画像処理部による画像処理の結果を記憶するデータ記憶部と、かご呼び及び乗場呼びの登録が解除されており、かつかご内の乗客がいない状況を判定して、臨時かご呼びを登録するエレベータ制御監視部とを備え、画像処理部は、臨時かご呼びが登録されるとマスク領域設定制御を行うように構成され、画像処理部は、マスク領域設定制御として、臨時かご呼びに応じたかごの移動中に、かご内のフレーム画像を順次取得し、所定の時期に取得したフレーム画像を基準フレーム画像として設定し、基準フレーム画像の設定後、所定間隔でフレーム画像を取得するごとに、基準フレーム画像を取得してからこれまでに取得されたフレーム画像を重ね合わせたときの画像において、基準フレーム画像と異なる領域である合成変動領域を、これまでに取得したフレーム画像に基づいて抽出し、前回抽出した合成変動領域に対する今回抽出した合成変動領域の増加量を演算してデータ記憶部に記憶し、演算した合成変動領域の増加量が、所定回連続して所定の閾値以下であるときに、最後に抽出した合成変動領域をマスク領域として設定する制御を行う。
【手続補正２】
【補正対象書類名】特許請求の範囲
【補正対象項目名】全文
【補正方法】変更
【補正の内容】
【特許請求の範囲】
【請求項１】
昇降路を昇降自在に設けられるかご、かご呼び及び乗場呼びに応じて上記かごの昇降を制御するエレベータ制御部を有するエレベータの上記かご内のフレーム画像を取得し、上記フレーム画像の領域を、画像処理の対象から外す所定のマスク領域と、残りの画像処理対象領域とにわけ、上記画像処理対象領域の変化に基づいて、上記かご内の情報を取得するエレベータのかご内監視装置であって、
上記かご内を撮影した画像を処理する画像処理部と、
上記画像処理部による画像処理の結果を記憶するデータ記憶部と、
上記かご呼び及び上記乗場呼びの登録が解除されており、かつ上記かご内の乗客がいない状況を判定して、臨時かご呼びを登録するエレベータ制御監視部と
を備え、
上記画像処理部は、上記臨時かご呼びが登録されるとマスク領域設定制御を行うように構成され、
上記画像処理部は、上記マスク領域設定制御として、
上記臨時かご呼びに応じた上記かごの移動中に、上記かご内の上記フレーム画像を順次取得し、所定の時期に取得した上記フレーム画像を基準フレーム画像として設定し、上記基準フレーム画像の設定後、所定間隔で上記フレーム画像を取得するごとに、上記基準フレーム画像を取得してからこれまでに取得された上記フレーム画像を重ね合わせたときの画像において、上記基準フレーム画像と異なる領域である合成変動領域を、これまでに取得した上記フレーム画像に基づいて抽出し、前回抽出した合成変動領域に対する今回抽出した合成変動領域の増加量を演算して上記データ記憶部に記憶し、
演算した上記増加量が、所定回連続して所定の閾値以下であるときに、最後に抽出した合成変動領域を上記マスク領域として設定する制御を行うエレベータのかご内監視装置。
【請求項２】
上記画像処理部は、演算した上記増加量が所定回連続して上記所定の閾値以下となった後、上記かごが、上記臨時かご呼びに応じた行き先階に着床するまでに、演算される上記増加量が、所定回連続して上記所定の閾値より大きな所定の異常判定閾値より大きくなった場合、上記かご内を撮影する撮影手段の位置がずれたと判断する
ことを特徴とする請求項１に記載のエレベータのかご内監視装置。
【請求項３】
上記画像処理部は、上記撮影手段の位置がずれたと判断すると、
上記合成変動領域をリセットするとともに、上記撮影手段の位置ずれを判断した後に取得される上記フレーム画像のうち、所定の時期に取得した上記フレーム画像を新規の基準フレーム画像として設定し、上記新規の基準フレーム画像の設定後、所定間隔で上記フレーム画像を取得するごとに、上記新規の基準フレーム画像を取得してからこれまでに取得された上記フレーム画像を重ね合わせたときの画像において、上記新規の基準フレーム画像と異なる領域である合成変動領域を、上記新規の基準フレーム画像を取得してからこれまでに取得した上記フレーム画像に基づいて抽出し、前回抽出した合成変動領域に対する今回抽出した合成変動領域の増加量を演算して上記データ記憶部に記憶し、
演算した上記増加量が、所定回連続して所定の閾値以下であるときに、最後に抽出した合成変動領域を上記マスク領域として設定する
ことを特徴とする請求項２に記載のエレベータのかご内監視装置。
【請求項４】
上記エレベータ制御監視部は、上記かご呼び及び上記乗場呼びの登録が解除されており、かつ上記かご内の乗客がいない状態を判定して、上記臨時かご呼びを定期的に登録し、
上記画像処理部は、上記臨時かご呼びが登録される度に、上記マスク領域設定制御を行うことを特徴とする請求項１乃至請求項３のいずれか１項に記載のエレベータのかご内監視装置。
【手続補正書】
【提出日】平成26年8月26日(2014.8.26)
【手続補正１】
【補正対象書類名】明細書
【補正対象項目名】０００８
【補正方法】変更
【補正の内容】
【０００８】
本発明の課題は、プリント時の後処理モードと開き筋の筋入れ有無とに応じて、折り目筋の位置または本数を自在に設定することである。
【手続補正２】
【補正対象書類名】明細書
【補正対象項目名】０００９
【補正方法】変更
【補正の内容】
【０００９】
上記課題を解決するため、請求項１に記載の発明は、
用紙に画像を形成する画像形成装置と、前記画像形成装置から排紙された用紙に後処理を施す少なくとも一つの後処理装置と、を備える画像形成システムであって、
前記後処理装置は、
用紙に折り目筋を形成するクリース部を備え、
前記画像形成装置は、
前記後処理装置の後処理の種類を示す後処理モードと、用紙を開き易くするための開き筋の筋入れ有無と、に対応する折り目筋の位置及び本数からなる位置情報を有する管理情報を記憶する記憶部と、
プリント時の後処理モードと開き筋の筋入れ有無とに応じて、前記記憶部に記憶された折り目筋の位置情報を、用紙毎に前記クリース部が形成する折り目筋の位置または本数に設定する制御部と、を備える。
【手続補正３】
【補正対象書類名】明細書
【補正対象項目名】００１０
【補正方法】変更
【補正の内容】
【００１０】
請求項２に記載の発明は、請求項１に記載の画像形成システムにおいて、
プリント時の後処理モードと開き筋の筋入れ有無との入力を受け付ける操作部を備え、
前記制御部は、前記操作部を介して入力された後処理モードと開き筋の筋入れ有無とに応じて、前記記憶部に記憶された折り目筋の位置情報を、用紙毎に前記クリース部が形成する折り目筋の位置または本数に設定する。
【手続補正４】
【補正対象書類名】明細書
【補正対象項目名】００１３
【補正方法】変更
【補正の内容】
【００１３】
請求項５に記載の発明は、請求項４に記載の画像形成システムにおいて、
前記制御部は、前記後処理モードが、前記禁則処理と、前記禁則処理にならない処理との組合せである場合に、前記禁則処理にならない処理に対応して前記記憶部に記憶された折り目筋の位置情報を、用紙毎に前記クリース部が形成する折り目筋の位置または本数に設定する。
【手続補正５】
【補正対象書類名】明細書
【補正対象項目名】００１４
【補正方法】変更
【補正の内容】
【００１４】
本発明によれば、プリント時の後処理モードと開き筋の筋入れ有無とに応じて、折り目筋の位置または本数を自在に設定できる。
【手続補正６】
【補正対象書類名】特許請求の範囲
【補正対象項目名】全文
【補正方法】変更
【補正の内容】
【特許請求の範囲】
【請求項１】
用紙に画像を形成する画像形成装置と、前記画像形成装置から排紙された用紙に後処理を施す少なくとも一つの後処理装置と、を備える画像形成システムであって、
前記後処理装置は、
用紙に折り目筋を形成するクリース部を備え、
前記画像形成装置は、
前記後処理装置の後処理の種類を示す後処理モードと、用紙を開き易くするための開き筋の筋入れ有無と、に対応する折り目筋の位置及び本数からなる位置情報を有する管理情報を記憶する記憶部と、
プリント時の後処理モードと開き筋の筋入れ有無とに応じて、前記記憶部に記憶された折り目筋の位置情報を、用紙毎に前記クリース部が形成する折り目筋の位置または本数に設定する制御部と、を備える画像形成システム。
【請求項２】
プリント時の後処理モードと開き筋の筋入れ有無との入力を受け付ける操作部を備え、
前記制御部は、前記操作部を介して入力された後処理モードと開き筋の筋入れ有無とに応じて、前記記憶部に記憶された折り目筋の位置情報を、用紙毎に前記クリース部が形成する折り目筋の位置または本数に設定する請求項１に記載の画像形成システム。
【請求項３】
前記操作部は、前記管理情報の調整情報の入力を受け付け、
前記制御部は、前記操作部を介して入力された調整情報に応じて、前記記憶部に記憶されている管理情報を変更する請求項２に記載の画像形成システム。
【請求項４】
前記制御部は、前記後処理モードが、多穴パンチと、リングバインドと、ステープルの１箇所綴じと、スクエアフォールドの中綴じと、のうちの一つである場合に、折り目筋の禁則処理として、用紙に前記クリース部が折り目筋を形成しないように設定する請求項１から３のいずれか一項に記載の画像形成システム。
【請求項５】
前記制御部は、前記後処理モードが、前記禁則処理と、前記禁則処理にならない処理との組合せである場合に、前記禁則処理にならない処理に対応して前記記憶部に記憶された折り目筋の位置情報を、用紙毎に前記クリース部が形成する折り目筋の位置または本数に設定する請求項４に記載の画像形成システム。
【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
乗客の高さを検出する検出部と、
前記検出部により検出された高さに対応する位置に、乗りかごを操作するための操作釦部を位置させる操作装置と、
を備え、
前記操作釦部は、複数の操作釦を含み、
前記操作装置は、前記複数の操作釦の配列を変更することを特徴とするエレベータ。
【請求項２】
請求項１に記載のエレベータにおいて、
前記操作装置は、前記乗りかごの内壁面又は乗場壁の所定の領域を覆うように設けられる液晶表示装置であることを特徴とするエレベータ。
【請求項３】
請求項２に記載のエレベータにおいて、
前記所定の領域は、
前記乗りかごの内壁面又は前記乗場壁において、底辺の高さが前記乗りかごの床面又は乗場の床面から５０センチメートル〜１００センチメートルの位置に設けられ、縦方向に１５０センチメートル〜２００センチメートルの長さを有し、かつ、横方向に５０センチメートル〜１００センチメートルの長さを有する四角形の領域であることを特徴とするエレベータ。
【請求項４】
請求項１から請求項３のいずれか１項に記載のエレベータにおいて、
前記操作装置は、前記検出部により検出された高さに対応する位置に、前記乗りかごの位置を表示するインジケータを位置させることを特徴とするエレベータ。
【手続補正２】
【補正対象書類名】明細書
【補正対象項目名】０００６
【補正方法】変更
【補正の内容】
【０００６】
本発明に係るエレベータは、乗客の高さを検出する検出部と、前記検出部により検出された高さに対応する位置に、乗りかごを操作するための操作釦部を位置させる操作装置と、を備え、前記操作釦部は、複数の操作釦を含み、前記操作装置は、前記複数の操作釦の配列を変更することを特徴とする。
【手続補正３】
【補正対象書類名】明細書
【補正対象項目名】０００９
【補正方法】削除
【補正の内容】
【手続補正書】
【提出日】平成26年6月20日(2014.6.20)
【手続補正１】
【補正対象書類名】明細書
【補正対象項目名】発明の名称
【補正方法】変更
【補正の内容】
【発明の名称】異物除去部材を備えた給紙カセット及び給紙装置並びにそれらを用いた給紙方法及び画像形成装置
【手続補正２】
【補正対象書類名】明細書
【補正対象項目名】０００１
【補正方法】変更
【補正の内容】
【０００１】
本発明は、異物除去部材を備えた給紙カセット、給紙装置及びそれらを用いた給紙方法に関わり、更に詳しくは表面に粘着機能を有し紙粉その他の異物を除去するローラ状の異物除去部材を備えた給紙カセット、給紙装置及びそれらを用いた給紙方法と画像形成装置に関する。
【手続補正３】
【補正対象書類名】明細書
【補正対象項目名】００１０
【補正方法】変更
【補正の内容】
【００１０】
本発明は、上記従来の課題を解決するものであって、表面に粘着機能を有し紙粉その他の異物を除去するローラ状の異物除去部材を備えた給紙カセット、給紙装置及びそれらを用いた給紙方法と画像形成装置を提供することを目的とする。
【手続補正４】
【補正対象書類名】特許請求の範囲
【補正対象項目名】全文
【補正方法】変更
【補正の内容】
【特許請求の範囲】
【請求項１】
画像形成装置の画像形成部へ給紙する記録紙を収納する給紙カセットにおいて、  表面に粘着機能を有し異物を除去する異物除去部材を備えた、
ことを特徴とする給紙カセット。
【請求項２】
前記異物除去部材は、上下に可動な底板の前方に設けられる、ことを特徴とする請求項１記載の給紙カセット。
【請求項３】
前記異物除去部材は、表面に粘着機能を有するローラ部材と、該ローラ部材のローラ軸を回転自在かつ着脱自在に支持するローラ支持部を備える、ことを特徴とする請求項１又は２記載の給紙カセット。
【請求項４】
前記異物除去部材は前記異物と異なる色である、ことを特徴とする請求項３記載の給紙カセット。
【請求項５】
前記ローラ部材は無色透明または半透明であり、前記ローラ軸が前記異物と異なる色である、ことを特徴とする請求項３または４記載の給紙カセット。
【請求項６】
前記ローラ部材は、前記ローラ軸にロール状に巻回された表面に粘着機能を有するシート部材である、ことを特徴とする請求項３、４または５記載の給紙カセット。
【請求項７】
前記異物は前記記録紙の紙粉を含む、ことを特徴とする請求項１記載の給紙カセット。
【請求項８】
画像形成装置の画像形成部へ記録紙を給紙する給紙手段と、
請求項１乃至７のいずれか１項に記載の給紙カセットを着脱自在に装着する装着部を備えた、
ことを特徴とする給紙装置。
【請求項９】
請求項１乃至８のいずれか１項に記載の給紙カセットを用い、該給紙カセットに収納された記録紙が画像形成装置の画像形成部へ給紙される際に異物を除去するようにした、
ことを特徴とする給紙方法。
【請求項１０】
請求項８に記載の給紙装置を備えることを特徴とする画像形成装置。
【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
ドアシューを有し、乗降口を開閉する少なくとも一対のドアパネルと、
前記ドアシューをガイドする敷居溝と、
を備えたセンターオープン型のエレベータドア装置において、
一端が前記ドアパネルの一方に取り付けられ、他端が前記ドアパネルの他方に取り付けられて、前記ドアパネル間に位置する前記敷居溝を閉塞する長尺状の閉塞部材と、
前記閉塞部材の前記一端及び前記他端の少なくとも一方に取り付けられた巻き取り軸を有し、前記閉塞部材を前記巻き取り軸側に付勢して前記ドアパネルの閉扉により前記閉塞部材を巻き取る巻き取り部と、
を備えることを特徴とするエレベータドア装置。
【請求項２】
乗降口の縁部に設けられるドア枠と、
ドアシューを有し、前記乗降口を開閉するドアパネルと、
前記ドアシューをガイドする敷居溝を有し、前記ドア枠の裏側まで延びた敷居と、
を備えたサイドオープン型のエレベータ乗場ドア装置において、
一端が前記ドアパネルに取り付けられて、前記ドアパネルと前記ドア枠との間に位置する前記敷居溝を閉塞する長尺状の閉塞部材と、
前記ドア枠の裏側であって乗場壁との間に位置する前記敷居上に設置された巻き取り部であって、前記閉塞部材の他端が取り付けられた巻き取り軸を有し、前記閉塞部材を前記巻き取り軸側に付勢して前記ドアパネルの閉扉により前記閉塞部材を巻き取る巻き取り部と、
を備えることを特徴とするエレベータドア装置。
【請求項３】
請求項１又は２に記載のエレベータドア装置において、
前記閉塞部材の前記一端は、前記ドアシューに固定されているエレベータドア装置。
【請求項４】
請求項１に記載のエレベータドア装置において、
前記ドアシューには、前記閉塞部材を前記巻き取り部から前記敷居溝に導入するために、前記閉塞部材の方向を変更するシューガイド部が形成されているエレベータドア装置。
【請求項５】
請求項１〜４のいずれか１項に記載のエレベータドア装置において、
前記乗降口の幅方向中央部に位置する前記敷居溝の側壁に、前記閉塞部材の上面を抑えて前記閉塞部材の浮き上がりを防止するガイド部が設けられているエレベータドア装置。
【手続補正書】
【提出日】平成26年7月11日(2014.7.11)
【手続補正１】
【補正対象書類名】特許請求の範囲
【補正対象項目名】請求項１
【補正方法】変更
【補正の内容】
【請求項１】
遊技球が流下可能な遊技領域が区画された略矩形状の板部材と、前記板部材の背面に重ねて配置される樹脂製の裏ユニットとを備える遊技盤が取り付けられ、
前記裏ユニットが、平板状の本体部と、前記本体部の外周縁から前側に延びる複数の壁部とによって箱状に構成され、
前記本体部の略中央に、表示装置が取り付けられる表示装置取付孔が設けられた
遊技機であって、
前記本体部における前記表示装置取付孔よりも外周側に、部品が取り付けられる部品取付部が設定され、
前記部品取付部に、前側に突出する補強リブと、前側に突出するとともに前記補強リブに一体形成され、前記部品に接続されるボスとが設けられる
ことを特徴とする遊技機。
【手続補正２】
【補正対象書類名】明細書
【補正対象項目名】０００７
【補正方法】変更
【補正の内容】
【０００７】
上記の課題を解決するために、請求項１（手段１）に記載の発明は、遊技球が流下可能な遊技領域が区画された略矩形状の板部材と、前記板部材の背面に重ねて配置される樹脂製の裏ユニットとを備える遊技盤が取り付けられ、前記裏ユニットが、平板状の本体部と、前記本体部の外周縁から前側に延びる複数の壁部とによって箱状に構成され、前記本体部の略中央に、表示装置が取り付けられる表示装置取付孔が設けられた遊技機であって、前記本体部における前記表示装置取付孔よりも外周側に、部品が取り付けられる部品取付部が設定され、前記部品取付部に、前側に突出する補強リブと、前側に突出するとともに前記補強リブに一体形成され、前記部品に接続されるボスとが設けられることを特徴とする遊技機をその要旨とする。
【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
遊技媒体を遊技領域に発射することで遊技が行われる遊技機であって、
遊技媒体が入賞し易い開放状態と入賞し難いまたは入賞不可能な閉鎖状態に変化する可変入賞手段と、
複数種類の開閉パターンのいずれかの開閉パターンで前記可変入賞手段を前記開放状態と前記閉鎖状態とに変化させる制御を行う制御手段と、
前記可変入賞手段に遊技媒体が入賞したことに基づいて遊技者に特典を付与する特典付与手段と、を備え、
前記複数種類の開閉パターンは、遊技媒体が入賞し易い有利開閉パターンと前記有利開閉パターンよりも入賞が困難な不利開閉パターンとを含み、
前記制御手段は、
前記有利開閉パターンによる制御を実行する場合には、該開閉パターンの制御の開始から前記開放状態に長い時間変化させる制御を実行する通常有利開閉パターンと、前記開閉パターンの制御の開始から前記不利開閉パターンによる制御と同一の、または近似した制御を所定期間実行した後に前記開放状態に長い時間変化させる制御を実行する特別有利開閉パターンのいずれかの開閉パターンによる制御を実行する、
ことを特徴とする遊技機。
【手続補正２】
【補正対象書類名】明細書
【補正対象項目名】０００７
【補正方法】変更
【補正の内容】
【０００７】
（１）上記目的を達成するため、本発明に係る遊技機は、
遊技媒体を遊技領域に発射することで遊技が行われる遊技機であって、
遊技媒体が入賞し易い開放状態と入賞し難いまたは入賞不可能な閉鎖状態に変化する可変入賞手段（例えば確変アタッカー２０Ｂなど）と、
複数種類の開閉パターンのいずれかの開閉パターンで前記可変入賞手段を前記開放状態と前記閉鎖状態とに変化させる制御を行う制御手段（例えばステップＳ９３６やＳ９４４の処理を実行するＣＰＵ１０３など）と、
前記可変入賞手段に遊技媒体が入賞したことに基づいて遊技者に特典を付与する特典付与手段（例えばステップＳ３４９の処理を実行するＣＰＵ１０３など）と、を備え、
前記複数種類の開閉パターンは、遊技媒体が入賞し易い有利開閉パターンと前記有利開閉パターンよりも入賞が困難な不利開閉パターンとを含み（例えば大入賞口開放パターンテーブル１〜６のいずれかに示される開放パターンなど）、
前記制御手段は、
前記有利開閉パターンによる制御を実行する場合には、該開閉パターンの制御の開始から前記開放状態に長い時間変化させる制御を実行する通常有利開閉パターン（例えば大入賞口開放パターンテーブル１に示される開放パターンなど）と、前記開閉パターンの制御の開始から前記不利開閉パターンによる制御と同一の、または近似した制御を所定期間実行した後に前記開放状態に長い時間変化させる制御を実行する特別有利開閉パターン（例えば大入賞口開放パターンテーブル２に示される開放パターンなど）のいずれかの開閉パターンによる制御を実行する、
ことを特徴とする。
【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
遊技球を遊技領域に発射することで遊技が行われる遊技機であって、
遊技球が入賞し易い開放状態と入賞し難いまたは入賞不可能な閉鎖状態に変化する可変入賞手段と、
複数種類の開閉パターンのいずれかの開閉パターンで前記可変入賞手段を前記開放状態と前記閉鎖状態とに変化させる制御を行う制御手段と、
前記可変入賞手段に遊技球が入賞したことに基づいて遊技者に特典を付与する特典付与手段と、を備え、
前記複数種類の開閉パターンは、遊技球が入賞し易い有利開閉パターンと前記有利開閉パターンよりも入賞が困難な不利開閉パターンとを含み、
前記制御手段は、
前記不利開閉パターンで前記可変入賞手段を制御するにあたり、前記開放状態に変化させた後前記閉鎖状態に変化させる制御を複数回繰り返し行うとともに、所定数の遊技球の入賞が発生したことまたは所定時間経過したことのいずれかの条件が成立したときに、該不利開閉パターンによる制御を終了し、
前記所定数の遊技球の入賞が発生せずに前記所定時間経過したことにより前記不利開閉パターンによる制御を終了させる場合には、特定態様に変化させる制御を行って前記不利開閉パターンによる制御を終了させる、
ことを特徴とする遊技機。
【手続補正２】
【補正対象書類名】明細書
【補正対象項目名】０００７
【補正方法】変更
【補正の内容】
【０００７】
（１）上記目的を達成するため、本発明に係る遊技機は、
遊技球を遊技領域に発射することで遊技が行われる遊技機であって、
遊技球が入賞し易い開放状態と入賞し難いまたは入賞不可能な閉鎖状態に変化する可変入賞手段（例えば確変アタッカー２０Ｂなど）と、
複数種類の開閉パターンのいずれかの開閉パターンで前記可変入賞手段を前記開放状態と前記閉鎖状態とに変化させる制御を行う制御手段（例えばステップＳ９３６やＳ９４４の処理を実行するＣＰＵ１０３など）と、
前記可変入賞手段に遊技球が入賞したことに基づいて遊技者に特典を付与する特典付与手段（例えばステップＳ３４９の処理を実行するＣＰＵ１０３など）と、を備え、
前記複数種類の開閉パターンは、遊技球が入賞し易い有利開閉パターンと前記有利開閉パターンよりも入賞が困難な不利開閉パターンとを含み（例えば大入賞口開放パターンテーブル１〜６のいずれかに示される開放パターンなど）、
前記制御手段は、
前記不利開閉パターンで前記可変入賞手段を制御するにあたり、前記開放状態に変化させた後前記閉鎖状態に変化させる制御を複数回繰り返し行うとともに、所定数の遊技球の入賞が発生したことまたは所定時間経過したことのいずれかの条件が成立したときに、該不利開閉パターンによる制御を終了し（例えばステップＳ３４１またはＳ３４２の処理を実行するなど）、
前記所定数の遊技球の入賞が発生せずに前記所定時間経過したことにより前記不利開閉パターンによる制御を終了させる場合には、特定態様に変化させる制御（例えば、大入賞口開放パターン３〜５における開放時間７に基づいて開放制御など）を行って前記不利開閉パターンによる制御を終了させる、
ことを特徴とする。
【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
遊技媒体を遊技領域に発射することで遊技が行われる遊技機であって、
遊技媒体が入賞し易い開放状態と入賞し難いまたは入賞不可能な閉鎖状態に変化する可変入賞手段と、
複数種類の開閉パターンのいずれかの開閉パターンで前記可変入賞手段を前記開放状態と前記閉鎖状態とに変化させる制御を行う制御手段と、
前記可変入賞手段に遊技媒体が入賞したことに基づいて遊技者に特典を付与する特典付与手段と、を備え、
前記複数種類の開閉パターンは、遊技媒体が入賞し易い有利開閉パターンと前記有利開閉パターンよりも入賞が困難な不利開閉パターンとを含み、
前記制御手段は、
前記不利開閉パターンで前記可変入賞手段を制御するにあたり、前記開放状態に変化させた後、前記閉鎖状態に変化させる制御を複数回繰り返し行うとともに、所定回目に前記開放状態に変化させてから前記閉鎖状態に変化させるまでの時間を、前記所定回目より前の特定回目に前記開放状態に変化させてから前記閉鎖状態に変化させるまでの時間以上とする、
ことを特徴とする遊技機。
【手続補正２】
【補正対象書類名】明細書
【補正対象項目名】０００７
【補正方法】変更
【補正の内容】
【０００７】
（１）上記目的を達成するため、本発明に係る遊技機は、
遊技媒体を遊技領域に発射することで遊技が行われる遊技機であって、
遊技媒体が入賞し易い開放状態と入賞し難いまたは入賞不可能な閉鎖状態に変化する可変入賞手段（例えば確変アタッカー２０Ｂなど）と、
複数種類の開閉パターンのいずれかの開閉パターンで前記可変入賞手段を前記開放状態と前記閉鎖状態とに変化させる制御を行う制御手段（例えばステップＳ９３６やＳ９４４の処理を実行するＣＰＵ１０３など）と、
前記可変入賞手段に遊技媒体が入賞したことに基づいて遊技者に特典を付与する特典付与手段（例えばステップＳ３４９の処理を実行するＣＰＵ１０３など）と、を備え、
前記複数種類の開閉パターンは、遊技媒体が入賞し易い有利開閉パターンと前記有利開閉パターンよりも入賞が困難な不利開閉パターンとを含み（例えば大入賞口開放パターンテーブル１〜６のいずれかに示される開放パターンなど）、
前記制御手段は、
前記不利開閉パターンで前記可変入賞手段を制御するにあたり、前記開放状態に変化させた後、前記閉鎖状態に変化させる制御を複数回繰り返し行うとともに、所定回目に前記開放状態に変化させてから前記閉鎖状態に変化させるまでの時間を、前記所定回目より前の特定回目に前記開放状態に変化させてから前記閉鎖状態に変化させるまでの時間以上とする（例えば大入賞口開放パターンテーブル３〜５に示される開放パターンにおいて徐々に長くなるように各開放時間が設定されているなど）、
ことを特徴とする。
【手続補正書】
【提出日】平成26年9月9日(2014.9.9)
【手続補正１】
【補正対象書類名】特許請求の範囲
【補正対象項目名】全文
【補正方法】変更
【補正の内容】
【特許請求の範囲】
【請求項１】
回転子及び固定子と、該回転子及び固定子を覆うハウジングと、前記回転子に固定された回転軸を支持する軸受が取り付けられるエンドブラケットとを備え、さらに前記エンドブラケットを挿通した前記回転軸の端部に設けられ、回転中心から放射状に延伸する複数の羽根部材を有した外扇ファンと、該外扇ファンを覆い当該外扇ファンに対向する位置に外部空気を取り入れる開口部を有するファンカバーと、該開口部よりも外周側に位置し前記エンドブラケットと当該ファンカバーとで囲まれる外扇ファン空間から前記ハウジングの外周部に向けて空気を吐出する吐出口とを備えた回転電機であって、
前記外扇ファンは、鉄、アルミニウム又はそれらの合金から成る金属材で構成されており、前記回転軸の端部外周面と、前記外扇ファン中央の穴部内周面とを接触させて締り嵌めにより嵌合されたものであることを特徴とする回転電機。
【請求項２】
前記外扇ファンの出力軸側及び反出力軸側の面の少なくとも一方の面に、回転軸方向に延伸する放熱フィンを配置する請求項１に記載の回転電機。
【請求項３】
前記放熱フィンを、前記回転軸を中心として環状に配置する請求項２に記載の回転電機。
【請求項４】
前記回転軸上であって、前記軸受と前記外扇フィンとの間の回転軸外周上に少なくとも１つの溝部を有する請求項１〜３の何れか１項に記載の回転電機。
【請求項５】
前記溝部を、前記回転軸方向又は前記回転軸外周に沿って有する請求項４に記載の回転電機。
【請求項６】
前記回転軸と、前記外扇ファンとを、シリコンを介して締り嵌めにより嵌合することを特徴とする請求項１〜５の何れか１項に記載の回転電機。
【手続補正２】
【補正対象書類名】明細書
【補正対象項目名】００１７
【補正方法】変更
【補正の内容】
【００１７】
上記目的を達成するために、代表的な本発明の回転電機の一つは、回転子及び固定子と、該回転子及び固定子を覆うハウジングと、前記回転子に固定された回転軸を支持する軸受が取り付けられるエンドブラケットとを備え、さらに前記エンドブラケットを挿通した前記回転軸の端部に設けられ、回転中心から放射状に延伸する複数の羽根部材を有した外扇ファンと、該外扇ファンを覆い当該外扇ファンに対向する位置に外部空気を取り入れる開口部を有するファンカバーと、該開口部よりも外周側に位置し前記エンドブラケットと当該ファンカバーとで囲まれる外扇ファン空間から前記ハウジングの外周部に向けて空気を吐出する吐出口とを備えた回転電機であって、前記外扇ファンは、鉄、アルミニウム又はそれらの合金から成る金属材で構成されており、前記回転軸の端部外周面と、前記外扇ファン中央の穴部内周面とを接触させて締り嵌めにより嵌合されたものである。
【手続補正３】
【補正対象書類名】明細書
【補正対象項目名】００１８
【補正方法】変更
【補正の内容】
【００１８】
さらに、代表的な本発明の回転電機の一つは、前記外扇ファンの出力軸側及び反出力軸側の面の少なくとも一方の面に、回転軸方向に延伸する放熱フィンを配置している。
【手続補正４】
【補正対象書類名】明細書
【補正対象項目名】００１９
【補正方法】変更
【補正の内容】
【００１９】
さらに、代表的な本発明の回転電機の一つは、前記放熱フィンを、前記回転軸を中心として環状に配置している。
【手続補正５】
【補正対象書類名】明細書
【補正対象項目名】００２０
【補正方法】変更
【補正の内容】
【００２０】
さらに、代表的な本発明の回転電機の一つは、前記回転軸上であって、前記軸受と前記外扇フィンとの間の回転軸外周上に少なくとも１つの溝部を有している。
【手続補正６】
【補正対象書類名】明細書
【補正対象項目名】００２１
【補正方法】変更
【補正の内容】
【００２１】
さらに、代表的な本発明の回転電機の一つは、前記溝部を、前記回転軸方向又は前記回転軸外周に沿って有している。
さらに、代表的な本発明の回転電機の一つは、前記回転軸と、前記外扇ファンとを、シリコンを介して締り嵌めにより嵌合している。
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
超音波プローブと、
前記超音波プローブに機械的に連結されたロボットアームと、
マスター入力デバイスと、
処理器と
を含むロボット外科手術システムであって、
前記処理器は、
前記マスター入力デバイスの移動に応答して前記超音波プローブを移動させるように前記ロボットアームに命令することと、
訓練指示の開始の検知時に現在の超音波プローブの位置および姿勢を格納することと、
訓練指示の終了の検知まで前記超音波プローブが位置および姿勢の多次元の軌跡を通って移動しているときに前記超音波プローブの位置および姿勢を格納することと
を行うようにプログラムされている、ロボット外科手術システム。
【請求項２】
訓練指示の前記開始および終了は、ユーザボイスコマンドによって指示される、請求項１に記載のロボット外科手術システム。
【請求項３】
訓練指示の前記開始および終了は、ユーザがグラフィカルユーザインターフェースと相互作用することによって生成される、請求項１に記載のロボット外科手術システム。
【請求項４】
１つ以上のスイッチ機構をさらに含み、
訓練指示の前記開始および終了は、前記１つ以上のスイッチ機構のスイッチ位置によって指示される、請求項１に記載のロボット外科手術システム。
【請求項５】
前記処理器は、位置および姿勢の前記多次元の軌跡を第１のボイスコマンドに関連付けるようにプログラムされている、請求項１に記載のロボット外科手術システム。
【請求項６】
前記処理器は、前記第１のボイスコマンドの検知時に、位置および姿勢の前記多次元の軌跡に沿って移動するように前記超音波プローブに命令するようにプログラムされている、請求項５に記載のロボット外科手術システム。
【請求項７】
前記処理器は、前記第１のボイスコマンドの検知時に第２のボイスコマンドの検知まで、位置および姿勢の前記多次元の軌跡に沿って前後に移動するように前記超音波プローブに命令するようにプログラムされている、請求項５に記載のロボット外科手術システム。
【請求項８】
ディスプレイをさらに含み、
前記処理器は、位置および姿勢の前記多次元の軌跡を前記ディスプレイに表示されるクリック可能なサムネールアイコンに関連付けるようにプログラムされている、請求項１に記載のロボット外科手術システム。
【請求項９】
前記処理器は、前記クリック可能なサムネールアイコンがクリックされたことの検知時に、停止指示が受信されるまで、位置および姿勢の前記多次元の軌跡に沿って前後に移動するように前記超音波プローブに命令するようにプログラムされている、請求項８に記載のロボット外科手術システム。
【請求項１０】
スイッチをさらに含み、
前記処理器は、位置および姿勢の前記多次元の軌跡を前記スイッチの第１の位置に関連付けるようにプログラムされている、請求項１に記載のロボット外科手術システム。
【請求項１１】
前記処理器は、前記スイッチが第１のスイッチ位置にあることの検知時に、前記スイッチが第２のスイッチ位置にあることを検知するまで、位置および姿勢の前記多次元の軌跡に沿って前後に移動するように前記超音波プローブに命令するようにプログラムされている、請求項１０に記載のロボット外科手術システム。
【手続補正書】
【提出日】平成25年11月27日(2013.11.27)
【手続補正１】
【補正対象書類名】明細書
【補正対象項目名】００１３
【補正方法】変更
【補正の内容】
【００１３】
１  車両
２  車両ハンドル
３  オームギヤー点灯装置
４  ライト球の電気コード
５  リミットスイッチ
６  オームギヤー
７  前方照射ライト球
８  前照灯
９  左折、右折の照射ライト球
１０  曲路
１１  車両
１２  前方照射ライト球
１３  左折、右折の照射範囲
【手続補正２】
【補正対象書類名】図面
【補正対象項目名】図１
【補正方法】変更
【補正の内容】
【図１】
2013252768.tif 000001
【手続補正書】
【提出日】平成26年4月1日(2014.4.1)
【手続補正１】
【補正対象書類名】特許請求の範囲
【補正対象項目名】全文
【補正方法】変更
【補正の内容】
【特許請求の範囲】
【請求項１】
複合織物組立体であって、
織布の基材、及び、
この織布の基材の表面上で間隔を空けて配されている、複数の保護プレートであって、織布の基材とこの保護プレートの間に物理的な結合を付与するように織布の基材の表面に部分的に貫入している硬化ポリマー樹脂を含む保護プレート
を含み、
織布の基材及び複数の保護プレートが、この複合織物組立体に通気性を与えるように構成されている、複合織物組立体。
【請求項２】
複数の保護プレートを隔てる間隔が、５〜２０ミルである請求項１に記載の複合織物組立体。
【請求項３】
保護プレートが、５〜２０ミルの厚みを有する請求項１に記載の複合織物組立体。
【請求項４】
織布の基材が、ポリエステル、ナイロン、アラミド及びそれらの混合物からなる群から選択される請求項１に記載の複合織物組立体。
【請求項５】
硬化ポリマー樹脂が、熱硬化されたポリマー樹脂を含む請求項１に記載の複合織物組立体。
【請求項６】
複数の保護プレートが、その複数の保護プレートの間の間隔において、実質的に直線が形成されないように配されている請求項１に記載の複合織物組立体。
【手続補正書】
【提出日】平成26年9月9日(2014.9.9)
【手続補正１】
【補正対象書類名】特許請求の範囲
【補正対象項目名】全文
【補正方法】変更
【補正の内容】
【特許請求の範囲】
【請求項１】
遊技者による発射操作に基づいて、遊技領域に向けて遊技球を発射する発射手段と、
前記遊技領域を流下する遊技球が入球可能な始動入球部と、
当該始動入球部に遊技球が入球したことに基づいて、特別情報を取得する情報取得手段と、
当該情報取得手段の取得した特別情報を、複数の数として予め定められた所定数を上限として記憶する取得情報記憶手段と、
当該取得情報記憶手段に記憶されている特別情報が、予め定められた移行情報に対応しているか否かの移行判定を行い、前記取得情報記憶手段に複数の特別情報が記憶されている場合にはそれら複数の特別情報に対して前記移行判定を順次行う移行判定手段と、
当該移行判定手段による移行判定の結果が移行対応結果となった後に、遊技状態を移行させる状態移行手段と、
を備えている遊技機において、
前記遊技領域には、前記始動入球部として少なくとも第１始動入球部と第２始動入球部とが設けられており、
前記取得情報記憶手段は、
前記第１始動入球部に遊技球が入球した場合に前記情報取得手段が取得した特別情報を、第１所定数を上限として記憶する第１取得情報記憶手段と、
前記第２始動入球部に遊技球が入球した場合に前記情報取得手段が取得した特別情報を、第２所定数を上限として記憶する第２取得情報記憶手段と、
を備えており、
前記移行判定手段は、前記第１取得情報記憶手段又は前記第２取得情報記憶手段に記憶されている特別情報のそれぞれに対して前記移行判定を行うものであり、前記移行対応結果となる確率が相対的に高低となる高確率移行判定手段と低確率移行判定手段とを備え、
前記状態移行手段は、
前記移行判定の結果が低確率対応結果となった後に、前記低確率移行判定手段により前記移行判定が行われる低確率遊技状態に移行させる低確率移行手段と、
前記移行判定の結果が高確率対応結果となった後に、前記高確率移行判定手段により前記移行判定が行われる高確率遊技状態に移行させる高確率移行手段と、
を備え、
当該遊技機は、
前記第２取得情報記憶手段に特別情報が記憶されている場合には、その記憶されている特別情報よりも早いタイミングで前記情報取得手段により取得された特別情報が前記第１取得情報記憶手段に記憶されていたとしても前記第２取得情報記憶手段に記憶されている特別情報に対して前記移行判定が行われるようにする優先手段と、
前記第１取得情報記憶手段に記憶されている所定の特別情報が前記移行判定の対象となるよりも前のタイミングにおいて先判定する第１先判定手段と、
前記高確率遊技状態において、前記先判定の結果が前記所定の特別情報が前記低確率対応結果となる情報であることに対応した結果の場合に当該所定の特別情報が前記移行判定の対象となるよりも前のタイミングにおいて所定の報知手段により所定報知を実行する報知実行手段と、
前記第２取得情報記憶手段に記憶されている所定の特別情報が前記移行判定の対象となった場合における判定結果に対応する報知が、当該所定の特別情報が前記移行判定の対象となるよりも前のタイミングにおいて所定の報知手段にて実行されるようにする手段と、
を備えていることを特徴とする遊技機。
【手続補正２】
【補正対象書類名】明細書
【補正対象項目名】０００７
【補正方法】変更
【補正の内容】
【０００７】
上記課題を解決すべく請求項１記載の発明は、遊技者による発射操作に基づいて、遊技領域に向けて遊技球を発射する発射手段と、
前記遊技領域を流下する遊技球が入球可能な始動入球部と、
当該始動入球部に遊技球が入球したことに基づいて、特別情報を取得する情報取得手段と、
当該情報取得手段の取得した特別情報を、複数の数として予め定められた所定数を上限として記憶する取得情報記憶手段と、
当該取得情報記憶手段に記憶されている特別情報が、予め定められた移行情報に対応しているか否かの移行判定を行い、前記取得情報記憶手段に複数の特別情報が記憶されている場合にはそれら複数の特別情報に対して前記移行判定を順次行う移行判定手段と、
当該移行判定手段による移行判定の結果が移行対応結果となった後に、遊技状態を移行させる状態移行手段と、
を備えている遊技機において、
前記遊技領域には、前記始動入球部として少なくとも第１始動入球部と第２始動入球部とが設けられており、
前記取得情報記憶手段は、
前記第１始動入球部に遊技球が入球した場合に前記情報取得手段が取得した特別情報を、第１所定数を上限として記憶する第１取得情報記憶手段と、
前記第２始動入球部に遊技球が入球した場合に前記情報取得手段が取得した特別情報を、第２所定数を上限として記憶する第２取得情報記憶手段と、
を備えており、
前記移行判定手段は、前記第１取得情報記憶手段又は前記第２取得情報記憶手段に記憶されている特別情報のそれぞれに対して前記移行判定を行うものであり、前記移行対応結果となる確率が相対的に高低となる高確率移行判定手段と低確率移行判定手段とを備え、
前記状態移行手段は、
前記移行判定の結果が低確率対応結果となった後に、前記低確率移行判定手段により前記移行判定が行われる低確率遊技状態に移行させる低確率移行手段と、
前記移行判定の結果が高確率対応結果となった後に、前記高確率移行判定手段により前記移行判定が行われる高確率遊技状態に移行させる高確率移行手段と、
を備え、
当該遊技機は、
前記第２取得情報記憶手段に特別情報が記憶されている場合には、その記憶されている特別情報よりも早いタイミングで前記情報取得手段により取得された特別情報が前記第１取得情報記憶手段に記憶されていたとしても前記第２取得情報記憶手段に記憶されている特別情報に対して前記移行判定が行われるようにする優先手段と、
前記第１取得情報記憶手段に記憶されている所定の特別情報が前記移行判定の対象となるよりも前のタイミングにおいて先判定する第１先判定手段と、
前記高確率遊技状態において、前記先判定の結果が前記所定の特別情報が前記低確率対応結果となる情報であることに対応した結果の場合に当該所定の特別情報が前記移行判定の対象となるよりも前のタイミングにおいて所定の報知手段により所定報知を実行する報知実行手段と、
前記第２取得情報記憶手段に記憶されている所定の特別情報が前記移行判定の対象となった場合における判定結果に対応する報知が、当該所定の特別情報が前記移行判定の対象となるよりも前のタイミングにおいて所定の報知手段にて実行されるようにする手段と、
を備えていることを特徴とする。